(57)【要約】【課題】肌についた頑固な汚れを、肌を傷めることなく確実に素早く落とすことができる洗浄器具を提供する。【解決手段】先端部に開口部が設けられた押圧変形可能な容器と、頂部に吸液パッドを着脱可能に固定することができ、かつ頂部に複数の細孔が設けられた前記容器開口部に係合可能なキャップと、キャップの頂部を覆って、該キャップに固定された吸液パッドとを備えた。【選択図】        図１
2004236702.tif 000002
【特許請求の範囲】
【請求項１】
先端部に開口部が設けられた押圧変形可能な容器と、頂部に吸液パッドを着脱可能に固定することができ、かつ頂部に複数の細孔が設けられた前記容器開口部に係合可能なキャップとを備えたハンディタイプの洗浄器具。
【請求項２】
先端部に開口部が設けられた押圧変形可能な容器と、頂部に吸液パッドを着脱可能に固定することができ、かつ頂部に複数の細孔が設けられた前記容器開口部に係合可能なキャップと、キャップの頂部を覆って、該キャップに固定された吸液パッドとを備えたハンディタイプの洗浄器具。
【請求項３】
開口部が、容器先端部の近傍の側面に設けられた請求項１又は２に記載の洗浄器具。
【請求項４】
吸液パッドをキャップに着脱可能に固定する固定手段が、キャップの外部側面に対向して設けられたクリップである請求項１〜３のいずれかに記載の洗浄器具。
【請求項５】
吸液パッドをキャップに着脱可能に固定する固定手段が、環状弾性具である請求項１〜３のいずれかに記載の洗浄器具。
【請求項６】
容器の開口部とキャップの基部とを係合する手段が、螺合である請求項１〜５のいずれかに記載の洗浄器具。
【請求項７】
請求項１〜６のいずれかに記載のハンディタイプの洗浄器具に装着する吸液パッド。
【発明の詳細な説明】
【０００１】
【発明が属する技術分野】
本発明は、洗浄器具に関し、特に、肌に付着した汚れを素早く迅速に落とし、さらには肌を傷めることなく汚れを落とすことができる、ハンディタイプの洗浄器具に関するものである。
【０００２】
【従来の技術】
ハンディタイプの臀部の洗浄器具として、ノズル先端から噴出された水によってその水圧で汚れを流すタイプものが多数提案されされている（例えば、特許文献１）。このようなハンディタイプの臀部の洗浄器具は、もっぱら外出先において手軽に臀部を洗浄できること目的とし、噴出する水流で肌についた汚れを流し落とすものである。
【０００３】
【特許文献１】
登録実用新案第３０５０４９４号公報
【０００４】
噴出する水流で肌についた汚れを落とす場合、水溶便等の粘性の低いものに対しては洗浄効果を発揮するが、軟便や固形便で皮膚表面にこびりついたような固体物質を除去することは、水圧の力だけでは非常に困難である。また、よりきれいに汚れを落とすためには水圧をより高くすることが必要になり、そうすると、洗浄液が肌表面からはね返り、周辺部位の衣服や肌表面を汚してしまう。
【０００５】
また、臀部の洗浄は、病人、介護老人や乳幼児にも必要であり、介護や保育にたずさわる人に多大な煩わしさを課している。持に老人の介護用や乳幼児のおむつ交換時のおしりに付着した尿や便を洗浄する際に、手を汚すことなく確実に汚れを落とすことは至難である。さらに、乳幼児はおむつ交換の際に、じっとしていることまれであり、常に動きまわるので、素早く迅速に臀部を洗浄することが要求される。
【０００６】
肌についた頑固な汚れは、ウェットワイプス等で拭い取るのが一般的であるが、ウェットワイプスの場合、力を入れすぎたり、長時間こすりすぎたりすると、肌を赤くしたりして傷めることがある。また、強くこすると吸収されている水分が絞り出されてなくなってしまい、さらに力を入れ、肌を傷めるといった悪循環におちいることがある。
【０００７】
【発明が解決しようとする課題】
本発明は、肌に付着した頑固な汚れを確実に素早く落とし、さらには肌を傷めることなく汚れを落とすことができる、ハンディタイプの洗浄器具を提供することを課題とする。
【０００８】
【課題を解決するための手段】
本発明は、このような従来の問題点に着目してなされ、上記課題を解決したものである。すなわち、本発明は、
（１）先端部に開口部が設けられた押圧変形可能な容器と、頂部に吸液パッドを着脱可能に固定することができ、かつ頂部に複数の細孔が設けられた前記容器開口部に係合可能なキャップとを備えたハンディタイプの洗浄器具、
（２）先端部に開口部が設けられた押圧変形可能な容器と、頂部に吸液パッドを着脱可能に固定することができ、かつ頂部に複数の細孔が設けられた前記容器開口部に係合可能なキャップと、キャップの頂部を覆って、該キャップに固定された吸液パッドとを備えたハンディタイプの洗浄器具、
（３）  開口部が、容器先端部の近傍の側面に設けられた上記（１）又は（２）に記載の洗浄器具、
（４）  吸液パッドをキャップに着脱可能に固定する固定手段が、キャップの外部側面に対向して設けられたクリップである上記（１）〜（３）のいずれかに記載の洗浄器具、
（５）  吸液パッドをキャップに着脱可能に固定する固定手段が、環状弾性具である上記（１）〜（３）のいずれかに記載の洗浄器具、
（６）  容器の開口部とキャップの基部とを係合する手段が、螺合である上記（１）〜（５）のいずれかに記載の洗浄器具、又は
（７）  上記（１）〜（６）のいずれかに記載のハンディタイプの洗浄器具に装着する吸液パッド
である。
【０００９】
本発明の洗浄器具によると、容器に洗浄液を充填し、頂部に吸液パッドを固定してから、容器を押圧変形させることによって、洗浄液を細孔から吸液パッドに送り吸液パッドを容易に湿らせることができる。よって、吸液パッドで肌をこする等することによって、肌に付着した汚れを確実に素早く落とすことができる。上記（１）は、吸液パッドを固定する前の洗浄器具、上記（２）は、吸液パッドを固定した洗浄器具である。本発明は、上記（１）または（２）のように構成することによって、肌に付着した汚れを確実に素早く落とせるばかりでなく、湿らせた吸液パッドを肌に当てることにより、肌を傷めることなく、しかも、小型でハンディな洗浄器具を提供することができる。
さらに、上記（３）のような洗浄器具は、開口部を容器先端部の近傍側面に設けることによって、流れ落ちる洗浄液で使用者の手を汚すことなく汚れを処理でき、さらに吸液パッドで汚れを拭うとき、容器先端に一直線上に設けられている場合よりも作業性が格段に向上する。
また、上記（４）の吸液パッドをクリップを用いて着脱可能に固定することにより、吸液パッドを容易に確実にキャップに固定することができ、さらに使用後の汚れた吸液パッドを使用者の手に触れることなく、ワンタッチで取り外すことができる。
さらにまた、上記（５）の環状弾性具は、より簡便な吸液パッドの固定手段であり、安価でコンパクトな洗浄器具を提供できる。
上記（６）の螺合による係合手段は、容器の開口部とキャップとを確実につなぎ合わせることができる。
また、上記（７）の吸液パッドは、本発明の洗浄器具に装着して用いることにより、肌に付着した頑固な汚れを素早く、肌を傷めることなく、確実に落とすことができる。
【００１０】
【発明の実施の形態】
以下、本発明の実施の形態を図面に基づいて説明する。
図１は、本発明の洗浄器具の一実施形態を示す斜視図である。また、図２は、図１の洗浄器具を、取り外し可能な部材ごとに離して示すものである。
図１及び図２において、容器２は、片手で持って又は握って、押圧変形可能な容器であり、押圧変形可能な材料で作られるか、あるいは押圧変形可能な形状を有して作られる。容器２の形状は、ハンディタイプで、押圧変形可能な形状であれば、特に限定するものではない。ここで、ハンディタイプとは、携帯ないし携行できるという意味のみでなく、手で持ち、好ましくは片手で持ち、操作できることを意味する。
【００１１】
容器２の具体的な形状としては、縦長の立方体で、三角から八角などの多角柱から円柱までの柱状、あるいはそれらが組み合わされた形の柱状が好ましい。したがって、柱の横断面は、三角形、正方形、長方形、八角形などの多角形から円、楕円、及びそれらが組み合わさった形状のもの、例えば、長方形と楕円が組み合わさった砲弾形などを取り得る。さらに、図１に示すように、柱の長手方向の中央部分を狭めたものが好ましく、握りやすさや操作性、握ったときの安定性が付与される。すなわち、柱の長さ方向に異なる形状の柱をなめらかにつながるように組み合せてもよい。また、多角柱の場合、面が交差する角の部分は、その角を取って丸み（いわゆるＲ）を付けた形状が好ましく、こうすることにより押圧変形が容易になり、また押圧解除後、容器２の形状が元の状態に戻りやすくなる。
【００１２】
容器２は、内部に充填された洗浄液を保持することができ、押圧変形可能な材料で、さらには、外側から洗浄液の量が把握できる透明ないし半透明の材料で製造することが好ましい。このような材料として、具体的には、低密度ポリエチレン、中密度ポリエチレン、エチレン・プロピレン共重合体、エチレン・酢酸ビニル共重合体、軟質塩化ビニル、ポリエステル系エラストマー、ポリウレタン系エラストマー、ポリアミド系エラストマーなどの合成樹脂が挙げられる。
【００１３】
図２において、容器２の先端部５近傍の側面には突出した開口部６があり、開口部６は後述のキャップ３の基部７と螺合するために、外面に雄ねじが設けられている。
開口部６は、縦長の容器２の先端部５に設けてもよい（図３又は図４）。この場合、突出した開口部６と容器２の軸が一致するように設けることが好ましい。開口部６を容器２の先端部５に設ける場合、容器２の先端部５近傍をエルボ状に曲げた形状にしてもよい（図４）。このとき、図５に示すように、容器２の長手方向の軸の延長線と、開口部６の軸との角度をθとすると、θは、０°〜９０°の範囲で、使用目的、使用環境に応じて適宜の角度となるように選択することが好ましい。すなわち、開口部６を容器２の先端部５に設ける場合、容器２は、θが０°の図４からθが９０°の図３までの間の形状をとることになる。容器２の側面に開口部６を設ける場合には、前記の相当する角度は４５°〜９０°の範囲で設けることが好ましい。なお、図１に示す洗浄容器における当該角度は約９０°である。
【００１４】
図２の中間にキャップ３を示す。図２に、キャップ３の基部７には雌ねじが形成されていて容器２の開口部６と螺合する例が示されている。ねじによる係合部からの洗浄液の漏洩は、本発明の洗浄器具の場合、キャップ３を容器２本体より下にして使うことが多く、漏れても洗浄液は吸液パッド４に流れて吸収されるので、特に問題にならない。しかし、結合部からの漏れは、吸液パッド４への洗浄液供給量の押圧による調節が困難になったり、吸液パッド４中の洗浄液の量が多くなりすぎる場合、調節できなくなるなどの不都合が生じる。また、見栄えも悪いのでＯ−リング、ガスケット、シールテープなどのシール手段を組み合わせて結合することが好ましい。
【００１５】
前記基部７と開口部６との係合は、螺合以外にも公知の適宜な手段で結合することができる、例えば、消防ホース類や水道の蛇口、あるいは各種容器の蓋などに使用されているようなワンタッチで結合、切離しができる公知の各種係合手段を用いることもできる。
【００１６】
キャップ３基部７の反対側の頂部８は、図２に示すように外側に向かって緩やかに膨らんだ形状の面を有していることが好ましい。頂部８の中央部には、そこを通って洗浄液が吸液パッド４に供給される複数の細孔９が設けられている。頂部８の緩やかに膨らんだ形状は、吸液パッド４と相俟って、吸液パッド４への洗浄液の供給や、汚れをこすり流すのに好都合である。図１及び２において、頂部８は、キャップ３の側面とで、かまぼこ型の形状をしているが、ドーム型も好ましく使用できる。吸液パッド４はキャップ３の頂部８を覆って該キャップ３に着脱可能に密着固定されるが、頂部８の形状は、この固定手段の種類に適する形状にすることが好ましい。
細孔９のサイズ、数、配置は、特に限定するものではなく、汚れをこすり落とすのに適切な量の洗浄液が吸液パッド４に供給されるのであればよい。さらには、吸液パッド４を使用しない場合に、適当な流速と流量で洗浄液が洗浄対象に供給されるものが好ましい。
【００１７】
吸液パッド４をキャップ３に着脱可能に密着固定する手段は、公知の手段を適宜用いることができる。その一例として、クリップ１０を図１及び図２に示す。クリップ１０は、一般的に少なくとも２個設ける必要がある。図１及び図２には、見えているクリップ１０のほかに、もう１つのクリップ１０が、キャップ３の側面で、中心軸に対称的な位置に設けられている。吸液パッド４は、それぞれのクリップ１０とキャップ３の側面とで吸液パッド４の端部が挟持されて、キャップ３の頂部８を覆って密着固定される。図１において、キャップ３側面のクリップ１０の力が加わる部分は、効果的に挟持するため平坦（平面）になっている。力が加わる部分の直ぐ前にのこぎり歯状突起、複数の円錐状突起などを設けて挟持の効果を高めることができる。さらに、前記クリップ１０の力が加わる部分がへこんだ段差あるいは溝を設けたり、クリップ１０先端をのこぎり歯状にすることも効果的である。
【００１８】
吸液パッド４の別の固定手段として、図６に示すように、キャップ３の頂部８を吸液パッド４で覆った後、キャップ３の側部にはみだした吸液パッド４を、輪ゴムや少なくとも一部にスプリングを介在させたリング状の紐などの環状弾性具１１でキャップ３の側面に絞め付けて固定する手段も効果的である。環状弾性具１１は、予めキャップ３の側部に少なくとも１点で固定しておいてもよい。また、挟持効果を高めるために、キャップ３の側面に突起、段差あるいは溝を設けることは、クリップ１０の場合と同様に環状弾性具１１の場合にも適用される。
【００１９】
図２の最上部に吸液パッド４を示す。吸液パッド４は、柔軟で、洗浄液を保持して汚れを拭い去れることのできるものであればよく、特に限定するものでないが、洗浄液を吸収し、こすったとき、破れず、肌にやさしい紙、布、不織布、スポンジなどを好ましく用いることができる。なかでも、吸液性がありかつ厚手で柔らかい繊維からなる不織布のシートが好ましい。吸液性の繊維としては、レーヨン、コットン、パルプなどから選択できるが、特に柔らかさの点においてレーヨン又はコットンが好ましい。なお、レーヨンとコットンの双方を含むものであってもよい。さらに吸液性の繊維にはポリプロピレン、ポリエステル（例えばポリエチレンテレフタレート）、ポリエチレンなどから選択される合成繊維などが配合される。市販品では、肌にやさしいラウンドカットを施してなめらかで繊維を肌に残さないコットン繊維の表面材で中綿を包み込んだシルコット（登録商標、ユニ・チャーム株式会社製）などが好ましく用いることができる。吸液パッド４は、汚れたら廃棄する使い捨てで使用する。
【００２０】
このように、吸液パッド４は、柔軟性を有したものであるので、クリップ１０などの固定手段でキャップ３の頂部８を覆ってセットするとき、一方のクリップ１０に挟持した後、吸液パッド４が挟持された端部の反対側の端部を強めに引っ張ってもう一方のクリップ１０で挟持させれば、キャップ３の両クリップ方向の側面ばかりでなく、クリップ方向と直角な方向の側面も容器２の方向に吸液パッド４の一部がはみだして垂れ下がった形で固定される。これは、汚れをこすって洗浄するとき、どの方向にこすってもキャップ３の側面を汚れと接触させずにこすることができ、使用者は方向を特に気にせずこすることができる。
【００２１】
吸液パッド４は、キャップ３の頂部８の面積、固定手段の種類や配置等に配慮して、キャップ３側面の上部をも覆う程度の寸法であれば、どのような形状のものでも使用することができる。実用的には、四角形又は円形が好ましく、キャップ３の頂部８の形状にしたがって使い分ければよい。すなわち、頂部８の形状がかまぼこ型の場合は四角形が、ドーム型の場合は円形ないし楕円形が選択される。また、クリップ１０や環状弾性具１１で固定するときの利便性を高めるために、クリップ１０の挟み代又は止め代を予め取っておくことが好ましく、キャップ３の側部を覆ったときに吸液パッド４のシートが重なる場合には、重ならないようにその該当部分を予め切り欠いておくことが好ましい。より好ましくは、キャップ３に密着固定された立体的な形状の吸液パッド４、あるいは、それを平面に展開した形状の吸液パッドシートを用いることである。なお、図２の吸液パッド４は、便宜上、かまぼこの表皮部のような形状で示しているが、フラットな矩形のシートである。
【００２２】
本発明の洗浄器具に用いる洗浄液として、通常は、水又は湯を使用する。また、局部を洗浄にして清潔に保つ観点から、汚れに浸透して、浮かび上がらせ、洗い去りやすくする又は拭い去りやすくするための公知の界面活性剤、雑菌を殺し、繁殖を抑制して肌を清潔に保つための消毒剤、殺菌剤や静菌剤、肌に養分を与え、強化する栄養剤や薬剤などを配合してもよい。また、尿や便の臭気をマスキングする香料や、消臭剤を配合することもでき、良好な作業環境をつくるためにも好ましい。
【００２３】
本発明の洗浄器具の使用にあたっては、キャップ３を容器２から外して、容器２の開口部６から洗浄液を充填し、キャップ３を、好ましくは結合部から洗浄液が漏洩しないようにはめる。
それから、キャップ３の頂部８に、その細孔９を覆うかたちで吸液パッド４をかぶせて、キャップ３の側部に設置されたクリップ１０などの固定手段で吸液パッド４をキャップ３の頂部８に密着させて固定する。次いで、吸液パッド４を下にして容器２の胴部を掴んで押圧すると、洗浄液はキャップ３の細孔９を通って吸液パッド４に送られてそれを湿らせる。洗浄液を吸収した吸液パッド４を洗浄対象の汚れにあてて、適宜の方向にこすって汚れを拭い去る。このとき、洗浄液を出さないでこすり、汚れを拭い除去してもよいし、汚れがひどい場合には、容器２内に圧力をかけながらこすり、すなわち、洗浄液を吸液パッド４に連続的に供給して吸液パッド４から流出させ、洗い流しながら汚れを落とこともできる。
【００２４】
洗浄対象の汚れがひどい場合には、吸液パッド４を装着する前に、キャップ３の細孔９を汚れに向けて、容器２の胴部を押圧する。このときキャップ３は通常容器２よりも下に位置しているので、洗浄液はキャップ３側に寄っており、容器２の胴部を押圧することにより、洗浄液は加圧されて細孔９から噴出する。そして、噴出した洗浄液は頑固な汚れを湿らせる。その後、吸液パッド４を装着した洗浄器具で上記の操作を行えば、より容易に頑固な汚れを除去することができる。
以上の操作の間、取扱い者の手を洗浄液で濡らしたりすることなく、汚れをこすって洗い落とすことができる。これは、従来の携帯用の洗浄器具やウェットワイプスなどでは決してできないことである。
【００２５】
吸液パッド４は使い捨てであるから、吸液パッド４がある程度汚れたら汚損された吸液パッド４を新品の吸液パッド４と交換して上記の操作を繰り返す。汚損された吸液パッド４を廃棄する際、クリップタイプの固定手段では、汚損された吸液パッド４を下にしてキャップ３側部の両方のクリップ１０を手で強く挟めば、汚損された吸液パッド４はその自重でゴミ容器に落下する。このとき、全く汚損された吸液パッド４に手を触れないで汚すことなく汚損された吸液パッド４を廃棄することができる。
【００２６】
また、吸液パッド４は着脱自在であり、取り外すことによりキャップ３の頂部８に設けられた複数の細孔９から洗浄液を噴出させることができるので、従来の携帯洗浄器具としても使用することができる。このとき、複数の細孔９の向きを調整して、噴出液がシャワー状に噴出するようにしてもよいし、あるいは、噴出液が細孔９から１０〜２０ｃｍ先で一点に集中させることもできる。後者の場合、集中する点の手前で洗浄部分にあてると、洗浄液をシャワー状に比較的広範にかけることができ、また一点に集中する距離であてると、最も勢いよくあてることができる。
【００２７】
【実施例】
本発明の洗浄器具の一実施例を図７〜図８により具体的に示す。
図７の洗浄器具は、先端部５を３０°曲げてキャップ３と係合する開口部を設けた柱状の容器２と、クリップ１０で吸液パッド４を固定する形式のキャップ３とから構成されている。容器２は、４５×３５ｍｍ角の柱状で、長さは短い方で約１２５ｍｍ、長い方で約１５０ｍｍであり、面と面が交わるコーナーの部分は５Ｒの丸みを付けて、扱いやすさ、強度などを向上した。容器２の一方の先端を容器２の長さ方向の軸から３０°曲げて開口部を設けた（θ＝３０°）。キャップ３は、３０×３３ｍｍ角、長さ４０ｍｍの柱状で、頂部８が約３ｍｍ膨らんだ略かまぼこ状の形状であり、対向する２対の側面の一方に吸液パッド４を固定するクリップ１０が設けられている。頂部８の中央部には洗浄液の通る１ｍｍφの細孔が、３個ずつ２列の四角配置で合計６個設けられ、列の間隔は１０ｍｍ、３個の細孔の間隔は６．５ｍｍである。また、キャップ３は、容器２の開口部に押し込むと、密封固定され、捻ると外れる構造になっている。容器２は厚さが約１ｍｍの可撓性のポリエチレン（ＰＥ）でつくられており、キャップ３の主な材料はポリプロピレン（ＰＰ）である。容器２の開口部とキャップ３は、キャップ３に嵌めたゴム製ガスケットによりシールした。
【００２８】
上記実施例の洗浄容器に好適に用いることができる吸液パッド４の例を図８に示す。図８（ａ）は、ポリエチレン（ＰＥ）の基材１２にウレタンフォーム１３を貼り合わせた吸液パッド４であり、図８（ｂ）は、中綿１６を不織布１５で包んだ形の吸液パッド４である。
図８（ａ）の場合、ウレタンフォーム１３の表面には、被洗浄物に直接当ててこすって汚れを落とすのに都合がよいように、のこぎりの歯状ないし長い台形状の凹凸が設けられている。ポリエチレン（ＰＥ）の基材１２としては、ポリエチレン（ＰＥ）繊維の不織布または多数の細孔を有するポリエチレン（ＰＥ）フィルム又はシートが用いられる。ポリエチレン（ＰＥ）の基材１２において、符号１４で示した、ウレタンフォーム１３が貼付されていない部分はクリップ１０の挟み代であり、ウレタンフォーム１３の部分が図７における洗浄器具のキャップ３の頂部８の上にくるように、吸液パッド４はクリップ１０で固定される。
【００２９】
図８（ｂ）の場合、レーヨン１００％の中綿１６（２００ｇ／ｍ２）をレーヨン１００％スパンレース（２５ｇ／ｍ２）の不織布１５で包み、中綿１６周辺の不織布１５同士が直接重なる部分をエンボス加工して中綿１６が移動しないようにした。この吸液パッド４も、図８（ａ）の場合と同様に中綿１６部分がキャップ３の頂部８の上にくるように、挟み代１４をクリップ１０で挟持してキャップ３に固定される。
ウレタンフォーム１３の吸液パッド４は、頑固な汚れを落とすのに効果的であり、また、レーヨン不織布１５表面の吸液パッド４は、肌が敏感な場合に傷つけることなく汚れを落とすことができる。
【００３０】
【発明の効果】
以上説明してきたように、本発明によれば、押圧変形可能なハンディタイプの容器と、複数の細孔を有し、容器の開口部に係合するキャップと、該キャップを覆って固定された吸液パッドとを備えたハンディタイプの洗浄器具であるから、肌にに付着した頑固な汚れを確実に素早く落とし、さらには肌を傷めることなく汚れを落とすことができるという効果を奏するので、持に老人の介護用や乳幼児のおむつを交換する際等に、好適に使用することができる。
【図面の簡単な説明】
【図１】本発明の洗浄器具の一実施態様を、洗浄器具全体の斜視図で示すものである。
【図２】図１の洗浄器具を、取り外し可能な部材ごとに離して示すものであり、図１と同様に斜視図で示す。
【図３】本発明の洗浄器具の一実施態様を、洗浄器具全体の斜視図で示すものである。
【図４】本発明の洗浄器具の一実施態様を、洗浄器具全体の斜視図で示すものである。
【図５】図３の洗浄器具における容器の長手方向の軸の延長線と開口部６の軸との角度θを示す断面図である。
【図６】環状弾性具を用いたときのキャップと吸収パッドの状態の一例を示す斜視図（ａ）と、斜視図（ａ）の線Ｘ‐Ｘで切断した断面図（ｂ）である。
【図７】本発明の洗浄器具の一実施例をより具体的に示す図である。
【図８】図７の洗浄器具に好適に用いることができる吸液パッドの例を示す。図８（ａ）は、ポリエチレン（ＰＥ）の基材にウレタンフォームを貼り合わせた吸液パッドを示し、図８（ｂ）は、中綿を不織布で包んだ形の吸液パッドを示す。
【符号の説明】
１    洗浄器具
２    容器
３    キャップ
４    吸液パッド
５    先端部
６    開口部
７    基部
８    頂部
９    細孔
１０  クリップ
１１  環状弾性具
１２  ポリエチレン（ＰＥ）の基材
１３  ウレタンフォーム
１４  挟み代
１５  不織布
１６  中綿
【図１】
2004236702.tif 000003
【図２】
2004236702.tif 000004
【図３】
2004236702.tif 000005
【図４】
2004236702.tif 000006
【図５】
2004236702.tif 000007
【図６】
2004236702.tif 000008
【図７】
2004236702.tif 000009
【図８】
2004236702.tif 000010